(57)【要約】【課題】釘打ち機等の打ち込み工具において、射出口付近に打ち込み具の位置あるいは傾きを規制する案内部材を配置して頭部の小さな細い釘であっても射出口の中央から真っ直ぐに打ち出されるようにしたものが提供されていたが、この案内部材の特に支持部の耐衝撃性をさらに高める必要があった。本発明では、案内部材の耐衝撃性を高めることを目的とする。【解決手段】案内部材１０をドライバガイド４に回動支持する回動支軸１１の周囲に緩衝部材１２，１２を介装し、この緩衝部材１２，１２によって釘ｎが衝突した際の衝撃を吸収する構成とする。【選択図】図３
2010280040.tif 000002
【特許請求の範囲】
【請求項１】
ドライバガイドの打ち込み通路内に供給された打ち込み具の頭部をドライバで打撃して前記打ち込み通路内を下動させて射出口から打ち出す打ち込み工具であって、前記ドライバガイドに前記打ち込み具を案内する案内部材が設けられており、該案内部材は、打ち込み方向上側の回動支軸を介して前記ドライバガイドに回動可能、かつ回動先端側を前記打ち込み通路内に進入させる方向に付勢して設けられており、前記回動支軸の周囲に衝撃吸収用の緩衝部材を介在させた打ち込み工具。
【請求項２】
請求項１記載の打ち込み工具であって、前記案内部材と前記回動支軸との間及び／又は前記回動支軸と前記ドライバガイドとの間に、前記緩衝部材を介在させた打ち込み工具。
【請求項３】
請求項１又は２記載の打ち込み工具であって、円環形状の緩衝部材を前記回動支軸に装着した打ち込み工具。
【請求項４】
請求項１〜３のいずれか１項に記載した打ち込み工具であって、工具本体部の下部に前記ドライバガイドを備え、該工具本体の側部にハンドル部を備え、該ハンドル部と前記ドライバガイドとの間に打ち込み具を収容するマガジンを備え、前記案内部材を前記ドライバガイドの周囲の位置について前記マガジン側に設けた打ち込み工具。
【請求項５】
請求項１〜４のいずれか１項に記載した打ち込み工具であって、前記案内部材を圧縮ばねによりばね付勢した打ち込み工具。
【請求項６】
請求項１〜５のいずれか１項に記載した打ち込み工具であって、前記案内部材の案内面が打ち込み具の周囲に沿って湾曲する円弧面に形成された打ち込み工具。
【発明の詳細な説明】
【技術分野】
【０００１】
この発明は、使用者が手に持って用いる例えば圧縮エア駆動式の釘打ち機等の打ち込み工具に関する。
【背景技術】
【０００２】
例えば、圧縮エア駆動式の打ち込み工具は、圧縮エアにより往復動するピストンを内装した本体部と、本体部の下部に突き出す状態に設けられて、ピストンに取り付けた打ち込み具打撃用のドライバが挿通される打ち込み通路を有するドライバガイドと、本体部の側部から側方へ延びるハンドル部と、打ち込み通路内に１本ずつ供給される多数本の打ち込み具を装填できるマガジンを備えている。
ハンドル部の基部付近に設けたトリガ形式のスイッチレバーを指先で引き操作すると、本体部のシリンダ上室に圧縮エアが供給されてピストンが下動する。ピストンが圧縮エアの推力によって下動すると、ドライバが打ち込み通路内を下動し、その下動途中で１本の打ち込み具が打撃されて射出口から打ち出される。
この種の打ち込み工具では、打ち込み具の長さや太さ（頭部の大きさ）について通常複数種類のものに対応している。一方、打ち込み具が打撃されて下動する打ち込み通路の径（太さ）は固定されている。このため、太い打ち込み具にも対応した打ち込み通路内において細い打ち込み具の先端位置がばらつきやすくなる。特に、短い打ち込み具ほど打ち込み通路内で傾き易く、場合によってはドライバの先端に対して打ち込み具の頭部が位置ずれすることにより正しい姿勢で打撃されず、その結果打ち込み不良の原因になる場合があった。
従来、打ち込み具の射出位置及び射出姿勢を安定化させるために射出口に案内部材を設ける技術が公知になっている。従来の案内部材に関する技術が下記の特許文献に開示されている。これら従来の案内部材は、射出口において回動可能に支持され、かつ回動先端側を打ち込み通路内に進入させて打ち込み通路幅を狭める方向にばね付勢された構成となっている。係る案内部材によれば、打撃されて射出口から打ち出される直前において打ち込み具の先端あるいは頭部が当接してその位置若しくは姿勢（傾き）が規制されることにより、細い打ち込み具あるいは短い打ち込み具であっても安定した位置及び姿勢で打ち出される。
【先行技術文献】
【特許文献】
【０００３】
【特許文献１】実開平４−５４６７９号公報
【特許文献２】特開平６−３３９８７４号公報
【特許文献３】特開２００４−３３０３６６公報
【発明の概要】
【発明が解決しようとする課題】
【０００４】
しかしながら、従来の案内部材についてもさらに改良を加えるべき問題があった。案内部材は、ドライバで打撃されて下動する打ち込み具が大きな衝撃で衝突するため、その特に回動支持部に大きな衝撃が繰り返し付加される。従来、この回動支持部についての耐衝撃性に付いて特に考慮されておらず、この点で当該案内部材の耐久性を高める必要があった。また、通常の打ち込み動作に限らず、例えば打ち込み通路内で打ち込み具が詰まる現象（いわゆるジャミング）が発生した場合には特に回動支軸に対して通常とは異なる方向から大きな衝撃が付加されるため、この場合の耐衝撃性を高める必要があった。
そこで、本発明は、打ち出される打ち込み具の位置及び打ち出し姿勢を規制する案内部材の耐久性を高めることを目的とする。
【課題を解決するための手段】
【０００５】
このため、本発明は、特許請求の範囲の各請求項に記載した構成の打ち込み工具とした。
請求項１記載の打ち込み工具によれば、打ち込み通路内の下動途中において打ち込み具が案内部材に当接して主としてその先端位置及び打ち出し姿勢（傾き）が規制される。案内部材には打ち込み具が当接する際の衝撃が付加される。これに対して、案内部材を回動支持する回動支軸の周囲には衝撃吸収用の緩衝部材が介在されており、これにより当該案内部材の耐衝撃性が高められている。このことから、打ち込み動作のたびに繰り返し案内部材に付加される衝撃に対して当該案内部材の耐久性を高めることができる。
緩衝部材としては、例えば円環形状のゴムリング、ウレタンスリーブ等の弾性体を用いることができる。
請求項２記載の打ち込み工具によれば、案内部材は、先端が射出口となる打ち込み通路を有する筒型のドライバガイドに回動支軸を介して回動支持されている。このため、案内部材と回動支軸との間、又は回動支軸とドライバガイドとの間、又はその双方に緩衝部材を介在させることにより、案内部材に付加された衝撃が吸収される。
請求項３記載の打ち込み工具によれば、円環形状の緩衝部材を用いることにより、その軸線に対してあらゆる方向から付加される衝撃を吸収することができるので、耐衝撃性を一層高めることができる。特に円環形状の緩衝部材によれば、いわゆるジャミング発生時の衝撃に対して高い耐衝撃性を発揮させることができる。
請求項４記載の打ち込み工具によれば、案内部材のドライバガイド軸線回りの位置について、ハンドル部を把持した通常の把持姿勢において使用者の手前側に回動支持されている。このため、手前側とは反対側（当該打ち込み工具の背面側）あるいは左右側部に配置した構成に比して使用者が打ち込み部位を目視する際の邪魔になることがなく、当該打ち込み部位の視認性を確保することができる。
請求項５記載の打ち込み工具によれば、簡易かつ安価な構成で案内部材を打ち込み通路側に付勢することができる。
請求項６記載の打ち込み工具によれば、打ち込み具の主として先端位置及び傾き（打ち込み姿勢）についてあらゆる方向の位置及び傾きを規制して、当該打ち込み通路の中心に案内する求心機能を持たせることができるので、当該案内部材の案内機能を一層高めることができる。
【図面の簡単な説明】
【０００６】
【図１】本発明の実施形態に係る打ち込み工具の全体側面図である。
【図２】図１の(II)部拡大図であって、射出口付近の拡大図である。
【図３】図２の(III)-(III)線断面図であって、案内部材及びその周辺の断面図である。
【図４】案内部材及びその周辺を図３中矢印(IV)方向から見た側面図である。
【発明を実施するための形態】
【０００７】
次に、本発明の実施形態を図１〜図４に基づいて説明する。図１は、本実施形態に係る打ち込み工具１の全体を示している。本実施形態の打ち込み工具１は、打ち込み具ｎを射出口付近で案内するための案内部材１０について特徴を有するもので、その他打ち込み工具としての基本的な構成については特に変更を要しないので詳細な説明は省略する。なお、この明細書では、部材若しくは構成の上下方向について、打ち込み具ｎの打ち込み方向（図１において下側）を下側とし、その反対方向を上側とする。
この打ち込み工具１は、圧縮エア駆動式の釘打ち機で、ピストン７を内装した本体部２と、本体部２の側部から側方へ長く延びるハンドル部３と、本体部２の下部から下方へ突き出す状態に設けられた筒形のドライバガイド４と、ハンドル部３とドライバガイド４との間に掛け渡し状態で取り付けられたマガジン５を備えている。
ピストン７の下面側に打撃用のドライバ８が取り付けられている。ドライバ８は細長い棒状の部材で、ピストン７の下面中心から下方へ長く延びている。ドライバ８の先端部は、ドライバガイド４の打ち込み通路４ａ内に進入している。
【０００８】
ハンドル部３の先端に、駆動源としての圧縮エア供給用のエアホースが接続される。図では、エアホース接続用のプラグ３ａのみが示されている。ハンドル部３の基部付近には、使用者が指先で引き操作するトリガ形式のスイッチレバー６が配置されている。このスイッチレバー６の引き操作により本体部２に圧縮エアが供給される。本体部２に圧縮エアが供給されると、ピストン７が下動してドライバ８が打ち込み通路４ａ内を下動し、その下動途中で打ち込み具ｎの頭部が当該ドライバ８で打撃される。打撃された打ち込み具ｎは、ドライバガイド４の下端の射出口４ｂから打ち出される。打ち出された打ち込み具ｎは、打ち込み材Ｗに打ち込まれる。
ドライバガイド４には、コンタクトレバー９が併設されている。このコンタクトレバー９は、ドライバガイド４に沿って上下に変位可能に支持されている。このコンタクトレバー９の上部は、スイッチレバー６付近に至っている。また、このコンタクトレバー９は射出口４ｂから僅かに突き出した状態に付勢されている。コンタクトレバー９を打ち込み材Ｗに当接させて当該打ち込み工具１を押し付けると、このコンタクトレバー９がドライバガイド４に対して相対的に上動し、これによりスイッチレバー６の引き操作が有効になる。コンタクトレバー９を打ち込み材Ｗに押し付けて相対的に上動させた状態でないと、スイッチレバー６の引き操作は無効になって、本体部２での不用意な打ち込み動作が未然に防止されるようになっている。
ドライバガイド４の打ち込み通路４ａ内には、本体部２の打ち込み動作に連動して打ち込み具ｎが１本ずつ供給される。マガジン５には、多数の打ち込み具ｎ〜ｎが並列に連結された連結打ち込み具が巻回状態で装填されている。連結打ち込み具の先端側が本体部２の打ち込み動作に連動してピッチ送りされることにより、打ち込み具ｎが１本ずつ打ち込み通路４ａ内に供給される。図では、打ち込み通路４ａ内に供給された打ち込み具ｎのみが示されて連結打ち込み具は省略されている。
【０００９】
ドライバガイド４の射出口４ｂ付近には、案内部材１０が回動支軸１１を介して図１において左右方向に回動可能に支持されている。なお、以下の説明では、便宜上図１において左側を前側と言い、右側を後ろ側とも言う。従って、ハンドル部３を把持した使用者は、当該打ち込み工具１の後ろ側（図１において右側）に位置することとなる。
この案内部材１０は、ドライバガイド４の射出口４ｂ付近であって、当該射出口４ｂの周囲の位置ついては後部側に支持されている。この案内部材１０の詳細が図２に示されている。この案内部材１０は、下側の案内部１０ａと上側の支持部１０ｂを備えている。案内部１０ａには、打ち込み通路４ａの中心軸線Ｊ回りに湾曲する円弧形状の案内面１０ｃが設けられている。本実施形態の場合、この案内面１０ｃが射出口４ｂの一部を構成している。支持部１０ｂは、案内部１０ａの上部から相互に平行に延びる二股形状を有している。ドライバガイド４の後ろ側の側部（図２において右側部）には、支持台座部４ｃが設けられている。図３に示すようにこの支持台座部４ｃを両支持部１０ｂ，１０ｂ間に挟んで当該案内部材１０が回動支軸１１を介して結合されている。回動支軸１１は、両支持部１０ｂ，１０ｂの支持孔１０ｄ，１０ｄと支持台座部４ｃの支持孔４ｄを貫通している。
両支持部１０ｂ，１０ｂの支持孔１０ｄ，１０ｄには、それぞれ円環形状の緩衝部材１２が装着されている。この両緩衝部材１２，１２の内周側に回動支軸１１が挿通されている。この緩衝部材１２，１２は、弾性体（例えばウレタンゴム等）を素材として成形されており、適度な弾性（クッション性）を有している。この緩衝部材１２，１２を介して案内部材１０が支持されているため、当該案内部材１０には打ち込み具ｎに対する衝撃緩衝機能が持たせられている。
回動支軸１１には、フランジ部１１ａと小径部１１ｂが設けられており、小径部１１ｂには抜け止め用の止め輪１３が装着されている。フランジ部１１ａと一方の支持部１０ｂとの間、及び止め輪１３と他方の支持部１０ｂとの間にはそれぞれ座金１４，１４が介装されて、両緩衝部材１２，１２の抜け出しが防止されている。
【００１０】
案内部材１０は、圧縮ばね１５によってその案内面１０ｃを打ち込み通路４ａ内に進入させる方向に付勢されている。図４に示すように案内部材１０の上部であって、支軸１１より上部には付勢台座部１０ｅが上方へ張り出す状態に設けられている。この付勢台座部１０ｅと、ドライバガイド４の側部との間に圧縮ばね１５が介装されている。この圧縮ばね１５の付勢力により、案内部材１０は案内面１０ｃを常時打ち込み通路４ａ内に位置させた状態に保持される。図２に示すように案内面１０ｃは、その下端部側ほど打ち込み通路４ａを狭める方向に僅かに傾斜した位置に保持される。
案内部材１０の案内面１０ｃは、打ち込み通路４ａの中心軸線Ｊ回りに湾曲する円弧面に形成されている。このため、この案内面１０ｃに、打ち込み通路４ａを下動する打ち込み具ｎの先端若しくは頭部が摺接されると、当該打ち込み具ｎの先端若しくは頭部が打ち込み通路４ａの中心側に案内される（求心作用）。打ち込み具ｎの先端若しくは頭部が案内部材１０の案内面１０ｃによって中心側に案内されることにより、当該打ち込み具ｎの先端及び頭部の位置が打ち込み通路４ａの中心側に規制されて当該打ち込み具ｎの打ち出し姿勢が打ち込み方向に対して真っ直ぐに規制される。
案内部材１０の案内面１０ｃは、打ち込み具ｎの長さや太さに係わらずその案内機能を発揮する。打ち込み具ｎが太い結果その頭部がより大径である場合には、案内部材１０は当該頭部に押されてその下端側（回動先端側）を打ち込み通路４ａ内から退出させる方向（図２において白抜きの矢印で示す反時計回り方向）に傾動する。この傾動動作は、圧縮ばね１５の付勢力に抗して支軸１１を中心にしてなされる。
【００１１】
以上のように構成した本実施形態の打ち込み工具１によれば、打ち込み具ｎを案内する案内部材１０が打ち込み方向上側の回動支軸１１を介して回動可能、かつ圧縮ばね１５の付勢力によってその回動先端側を打ち込み通路４ａ内に進入させる方向（前側）に付勢して設けられている。この案内部材１０の案内面１０ｃに打ち込み具ｎの先端及び頭部を摺接させることにより当該打ち込み具ｎが打ち込み通路４ａの中心側に位置規制されて射出口４ｂから真っ直ぐに打ち出される。
しかも、本実施形態の案内部材１０は緩衝部材１２，１２を介してドライバガイド４に支持されている。このため、ドライバ８で打撃されて打ち込み通路４ａ内を下動する打ち込み具ｎが案内面１０ｃに衝突して大きな衝撃が付加されると、この衝撃が緩衝部材１２，１２で吸収される。本体部２の打ち込み動作毎に繰り返される打ち込み具ｎの案内時の衝撃が緩衝部材１２，１２で吸収されるので、回動支軸１１の変形あるいは支持孔４ｄ，１０ｄのへたり等を低減して当該案内部材１０のドライバガイド４に対する支持状態の耐衝撃性を高めることができる。
また、案内部材１０の案内面１０ｃが打ち込み通路４ａの中心軸線Ｊ回りに湾曲する円弧面に形成されて当該案内面１０ｃに求心機能が持たせられているので、打ち込み具ｎを打ち込み通路４ａの中心側に案内しやすくなり（求心作用）、これにより一層確実な打ち込みを行うことができるようになる。
さらに、回動支軸１１の周囲に円環形状の緩衝部材１２，１２が装着されていることにより、あるいは案内面１０ｃが円弧面に形成されていることにより、打ち込み通路４ａの中心軸線Ｊ回りのあらゆる方向から打ち込み具ｎを介して付加される衝撃に対して緩衝機能を発揮させることができる。
また、案内部材１０は、ドライバガイド４の後ろ側であって使用者から見て手前側に配置されている。通常、使用者は打ち込み作業では、ドライバガイド４の前側から射出口４ｂ付近を覗き込んで打ち込み位置の確認をする。この点で、本実施形態の案内部材１０がドライバガイド４の手前側に配置されているので、使用者が打ち込み位置を覗き込む際の邪魔にならず、その良好な視認性を阻害することがない。
【００１２】
以上説明した実施形態には、種々変更を加えることができる。例えば、案内部材１０側の支持孔１０ｄ，１０ｄと回動支軸１１との間に緩衝部材１２，１２を介装する構成を例示したが、これに代えて若しくはこれに加えて支持台座部４ｃの支持孔４ｄと回動支軸１１との間に同じく円環形状の緩衝部材を介装する構成としてもよい。
また、例示した構成では、案内部材１０を打ち込み通路４ａの先端であってその案内面１０ｃが射出口４ｂの一部を形成する構成で例示したが、これよりも上方位置に案内部材を配置して、射出口の全周をドライバガイド４で形成する構成としてもよい。
さらに、案内部材１０の案内面１０ｃを円弧形状に湾曲させた構成を例示したが、平坦な案内面に変更してもよい。
また、ドライバガイド４の後ろ側に案内部材１０を配置する構成を例示したが、前側に配置してもよく、あるいは左右側部に配置してもよく、さらに前後一対あるいは左右一対の案内部材を配置してもよい。
【符号の説明】
【００１３】
１…打ち込み工具（圧縮エア式釘打ち機）
２…本体部
３…ハンドル部、３ａ…ホース接続プラグ
４…ドライバガイド
４ａ…打ち込み通路、４ｂ…射出口、４ｃ…支持台座部、４ｄ…支持孔
５…マガジン
６…スイッチレバー
７…ピストン
８…ドライバ
９…コンタクトレバー
１０…案内部材
１０ａ…案内部、１０ｂ…支持部、１０ｃ…案内面（円弧形状の湾曲面）
１０ｄ…支持孔、１０ｅ…付勢台座部
１１…回動支軸、１１ａ…フランジ部、１１ｂ…小径部
１２…緩衝部材
１３…止め輪
１４…座金
１５…圧縮ばね
ｎ…打ち込み具
Ｗ…打ち込み材
Ｊ…打ち込み通路の中心軸線
【図１】
2010280040.tif 000003
【図２】
2010280040.tif 000004
【図３】
2010280040.tif 000005
【図４】
2010280040.tif 000006